(57)【要約】【課題】人力による鼻汁の吸引及び電力による鼻汁の吸引の双方を円滑に行うことができ、使用上便利な鼻汁吸引器を提供する。【解決手段】吸引した鼻汁を受け入れる吸引部材２と、電動吸引によって吸引力を作用させる電動吸引部材３と、人力吸引によって吸引力を作用させる人力吸引部材４とからなり、吸引部材２に対して電動吸引部材３及び人力吸引部材４を交換可能とする。【選択図】図３
2019118529.tif 000002
【特許請求の範囲】
【請求項１】
鼻腔内の鼻汁を吸引する吸引ノズルを備えた吸引カップが台座上に被せられて形成され、吸引した鼻汁を受け入れる吸引部材と、
前記吸引部材の内部に吸引力を作用させる吸引力駆動手段と、を備え、
前記吸引力駆動手段は、電動吸引によって前記吸引力を作用させる電動吸引部材及び人力吸引によって前記吸引力を作用させる人力吸引部材からなり、前記吸引部材に対して前記電動吸引部材及び人力吸引部材が交換可能となっていることを特徴とする鼻汁吸引器。
【請求項２】
前記台座は、前記吸引力を前記吸引部材の内部に導くために前記台座を貫通する連通管部と、前記連通管部よりも大径となって連通管部の周囲に設けられる吸引口部とを有していることを特徴とする請求項１記載の鼻汁吸引器。
【請求項３】
前記台座は、前記吸引ノズルの下方に設けられ、前記吸引ノズルから吸引された鼻汁を受け入れる受け皿部を有していることを特徴とする請求項１又は２記載の鼻汁吸引器。
【発明の詳細な説明】
【技術分野】
【０００１】
本発明は、鼻腔内から鼻汁を吸引して除去する鼻汁吸引器に関する。
【背景技術】
【０００２】
風邪やアレルギー性鼻炎等では、患者の鼻腔内に溜まった鼻汁によって円滑な呼吸が妨げられる。特に、乳幼児では、鼻をかむことができないため、苦痛を伴うことがある。このため、鼻腔内から鼻汁を吸引して除去する鼻汁吸引器が従来より開発されている（特許文献１及び２参照）。
【０００３】
特許文献１記載の鼻汁吸引器は、鼻腔内の鼻汁を吸引する吸引ノズル及びマウスピースをホースを介してそれぞれタンクに連結した構造となっている。この鼻汁吸引器は患者の鼻腔内に吸引ノズルを差し込んだ状態でマウスピースを口にくわえて吸い込むことにより鼻汁をタンクに吸引するように使用する。
特許文献２記載の鼻汁吸引器は、吸引ノズルに連結したタンクに電動吸引ポンプを連結し、電動吸引ポンプを駆動することによりタンク内を減圧してタンク内に鼻汁を吸引するものである。
【先行技術文献】
【特許文献】
【０００４】
【特許文献１】特開２０１４−１８４９９号公報
【特許文献２】実用新案登録第３０６９９６０号公報
【発明の概要】
【発明が解決しようとする課題】
【０００５】
特許文献１記載の鼻汁吸引器は、ハンディタイプとして手軽に使用することができるが、人がマウスピースを口にくわえて吸引する必要がある。このため、人力なくして自動的に鼻汁を吸引することができない不便さがある。
特許文献２記載の鼻汁吸引器は、電動吸引ポンプを駆動することにより人力なくして鼻汁を吸引できるが、電動吸引ポンプを駆動するための電力が必要となる。このため、電源のない場所や電源電池が切れた場合には使用できない不便さがある。
【０００６】
本発明は、以上の従来の問題点を考慮してなされたものであり、人力による鼻汁の吸引及び電力による鼻汁の吸引の双方を円滑に行うことができ、使用上便利な鼻汁吸引器を提供することを目的とする。
【課題を解決するための手段】
【０００７】
本発明の鼻汁吸引器は、鼻腔内の鼻汁を吸引する吸引ノズルを備えた吸引カップが台座上に被せられて形成され、吸引した鼻汁を受け入れる吸引部材と、前記吸引部材の内部に吸引力を作用させる吸引力駆動手段と、を備え、前記吸引力駆動手段は、電動吸引によって前記吸引力を作用させる電動吸引部材及び人力吸引によって前記吸引力を作用させる人力吸引部材からなり、前記吸引部材に対して前記電動吸引部材及び人力吸引部材が交換可能となっていることを特徴とする。
【０００８】
本発明においては、前記台座は、前記吸引力を前記吸引部材の内部に導くために前記台座を貫通する連通管部と、前記連通管部よりも大径となって連通管部の周囲に設けられる吸引口部とを有している。
又、前記台座は、前記吸引ノズルの下方に設けられ、前記吸引ノズルから吸引された鼻汁を受け入れる受け皿部を有している。
【発明の効果】
【０００９】
本発明では、吸引した鼻汁を受け入れる吸引部材と、吸引部材の内部に吸引力を作用させる吸引力駆動手段とを備え、前記吸引力駆動手段が電動によって吸引力を作用させる電動吸引部材及び人力によって吸引力を作用させる人力吸引部材からなり、吸引部材に対して電動吸引部材及び人力吸引部材が交換可能となっているため、人力による鼻汁の吸引及び電力による鼻汁の吸引の双方を円滑に行うことができ、使用上便利となる。
【図面の簡単な説明】
【００１０】
【図１】吸引部材を電動吸引部材に取り付けた状態を示す斜視図である。
【図２】吸引部材に人力吸引部材を接続した状態を示す斜視図である。
【図３】本発明の鼻汁吸引器の構成部品を示す分解斜視図である。
【図４】吸引部材を示す分解斜視図である。
【図５】（Ａ）及び（Ｂ）は台座の平面図及び底面図である。
【図６】電動吸引部材を上から見た斜視図である。
【図７】収納ケースの斜視図である。
【図８】吸引部材を電動吸引部材に取り付けた状態を示す正面図である。
【図９】吸引部材を示す斜視図である。
【図１０】吸引部材の台座を示す斜視図である。
【図１１】吸引部材の台座を別の方向から示す斜視図である。
【図１２】本発明の別の実施形態を示す全体斜視図である。
【図１３】別の実施形態の吸引部材を下方から示す斜視図である。
【発明を実施するための形態】
【００１１】
図１〜図１１は本発明の一実施形態の鼻汁吸引器１を示す。図１は電力による使用状態、図２は人力による使用状態、図３〜図７及び図８〜図１１は構成部品をそれぞれ示す。
【００１２】
図１及び図２に示すように、鼻汁吸引器１は吸引部材２と、電動吸引部材３と、人力吸引部材４とによって形成されている。吸引部材２は鼻腔内の鼻汁を受け入れる部材であり、電動吸引部材３及び人力吸引部材４は吸引部材２の内部に吸引力を発生させる吸引力駆動手段である。図１は電動吸引部材３を吸引部材２に取り付けた状態、図２は人力吸引部材４を吸引部材２に取り付けた状態を示し、吸引部材２に対し電動吸引部材３及び人力吸引部材４が交換可能となっている。このように交換可能となっていることにより、電力による吸引及び人力による吸引の双方を切り換えることができるため、使用上便利となる。
【００１３】
次に、各構成部品を説明する。
図４は吸引部材２の分解斜視図、図５（Ａ）及び（Ｂ）は吸引部材２における台座１２の平面図及び底面図である。図８は吸引部材２を電動吸引部材３に取り付けた状態の正面図、図９は吸引部材２を示す斜視図、図１０及び図１１は吸引部材の台座を示す斜視図である。吸引部材２は台座１２上に吸引カップ１１が被せられることにより形成されている。
【００１４】
図１〜図４及び図９に示すように、吸引カップ１１は下面が開口されたカップ状のカップ本体１３と、カップ本体１３に立ち上がり状に取り付けられた吸引ノズル５とを備えている。吸引ノズル５は患者の鼻腔内に差し込まれて鼻腔内の鼻汁を吸引する。吸引ノズル５はシリコン樹脂によって形成されており、これにより鼻腔内面を傷付けることを防止することができる。
カップ本体１３は透明樹脂によって形成されており、これにより鼻汁の吸引状態を透視によって確認することができる。カップ本体１３の内部には、吸引管部１４が垂下しており、吸引管部１４の上端部分がカップ本体１３から抜き出されて取付口部１５となっている（図３及び図９参照）。取付口部１５は円筒状に形成されており、吸引ノズル５はこの取付口部１５に着脱自在に取り付けられる。吸引ノズル５に吸引された鼻汁は吸引管部１４を通って台座１２の受け皿部１７に落下して溜められる。
【００１５】
図３に示すように、吸引ノズル５としては本来のノズルに加えて細長タイプの吸引ノズル５ａを交換可能に用意することができる。細長タイプの吸引ノズル５ａを用意することにより患者の鼻腔の大きさや鼻汁の状態に合わせた吸引を行うことができる。
かかる吸引カップ１１には、樹脂製のキャップ７を被せることにより吸引ノズル５の保護及び汚れ防止が可能となっている（図３参照）。
【００１６】
図４、図５及び図１０、図１１に示すように、カップ本体１３が被せられる台座１２は円形の板ブロック状に形成された台座本体１６を備えている。この台座本体１６の下部が電動吸引部材３に嵌め込まれることにより吸引部材２が電動吸引部材３に着脱可能に取り付けられる（図１及び図８参照）。又、台座本体１６に対して人力吸引部材４を接続することにより吸引部材２が人力吸引部材４に着脱される。
【００１７】
台座本体１６の上面部分は円形の皿状に形成された受け皿部１７となっており、吸引ノズル５で吸引された鼻汁は受け皿部１７に落下することにより溜められる。このような受け皿部１７を備えることにより、吸引された鼻汁が周囲に飛散することがないため、衛生的に使用することができる。受け皿部１７の外部には、シリコン樹脂からなるシール材２０が取り付けられており（図４及び図５（Ａ）参照）、台座１２（台座本体１６）に被せた吸引カップ１１との密着性を保持するようになっている
台座本体１６には、連通管部１９が上下方向に貫通しており、電動吸引部材３の吸引力及び人力吸引部材４の吸引力が連通管部１９を通じて吸引部材２の内部に作用する。なお、人力吸引部材４においては、図３に示すように、その吸気ホース４２が連通管部１９の下方側の貫通端部に着脱可能に接続されるものである。
【００１８】
連通管部１９の周囲には、吸引口部１８が設けられている。吸引口部１８は連通管部１９の周囲で台座本体１６の受け皿部１７から立ち上がっている。吸引口部１８は連通管部１８よりも大径となって連通管部１９の周囲に設けられている。これにより連通管部１９に作用する吸引力が大径の吸引口部１８によって和らげられる。このように吸引力が緩和されることにより吸引ノズル５から鼻腔内に強力な吸引力が作用しないため、鼻汁の吸引に苦痛を伴うことを防止することができる。
【００１９】
図３及び図８に示すように、電動吸引部材３は外形が円柱状の保持筒３１を有している。保持筒３１には、小型の電動ポンプ及び電動ポンプに電力を供給するバッテリー（いずれも図示省略）を格納している。電動ポンプを駆動することにより吸引力が作用して吸引部材２による鼻汁の吸引が行われる。バッテリーは充電式となっており、商業電源からの充電が可能となっている。図３における符号６は、バッテリーへの充電を行うためのＵＳＢケーブルであり、一側のケーブル端子６ａを保持筒３１の底面に設けた充電用スロットに差し込み、他側のケーブル端子６ｂを商業電源に差し込むことにより適宜充電を行うことができる。保持筒３１には、吸引作動をオンオフするスイッチ３２及び充電状態を点灯表示する充電ランプ３３が設けられている。
【００２０】
図６は電動吸引部材３の保持筒３１を上方から示している。保持筒３１の上面には、リング状のアッパーフレーム部３５が形成されており、このアッパーフレーム部３５の内側の突片部３６との間に吸引部材２の台座１２（台座本体１６）の下部が嵌め込まれることにより電動吸引部材３の吸引部材２への取り付けを行うことができる。
アッパーフレーム部３５の底面部３５ａには、吸気口部３７が設けられている。吸気口部３７は吸引部材２の連通管部１９が挿入され、この挿入によって電動吸引部材３の吸引力が吸引部材２に作用する。
【００２１】
符号３８はアッパーフレーム部３５の底面部３５ａに形成された排気口部であり、電動ポンプの駆動によって発生した空気を吐出する。排気口部３８に対し、吸引部材２の台座１２には、図５（Ｂ）で示すように空気の通路となる排気ガイド部２１が形成されている。又、排気ガイド部２１に対応した排気用開口部３９がアッパーフレーム部３５に開口されている。従って、電動ポンプの駆動によって発生した空気は排気口部３８から排気ガイド部２１に入り、排気ガイド部２１から排気用開口部３９に流動するため空気を外部に排気することができる。
【００２２】
このような電動吸引部材３を吸引部材２に取り付けて電動吸引部材３を駆動することにより、吸引力が吸引部材２の内部に作用するため、鼻汁を吸引ノズル５から吸引部材２に吸引することができる。これにより人力を不要とした鼻汁の吸引を行うことができる。
【００２３】
図２及び図３に示すように、人力吸引部材４はマウスピース４１と、マウスピース４１から延びる吸気ホース４２とによって形成されている。マウスピース４１は患者又は介護人が口にくわえて吸うための部材である。吸気ホース４２はシリコン樹脂によって形成されることにより十分な可撓性を有している。この吸気ホース４２の先端を吸引部材２の連通管部１９に接続し、マウスピース４１を吸うことにより吸引力が吸気ホース４２を介して吸引部材２の内部に作用する。これにより人力による鼻汁の吸引を行うことができる。
【００２４】
なお、人力吸引部材４としては、マウスピース４１に代えて逆止弁付きの手動ポンプを用いることもできる。手動ポンプとすることにより口にくわえて吸引する必要がないため、衛生的に使用することができる。
【００２５】
図７に示す収納ケース８は以上の部品を収納するためのケースである。収納ケース８の内部は仕切り壁によって仕切られており、部品を整頓して収納することができる。収納ケース８を備えることにより持ち運びが容易なハンディタイプとすることができる。
【００２６】
以上のように、この実施形態の鼻汁吸引器１では、電動によって吸引力を作用させる電動吸引部材３及び人力によって吸引力を作用させる人力吸引部材４を吸引部材２に対して交換可能とした構造であるため、電力による鼻汁の吸引及び人力による鼻汁の吸引の双方に適用することができる。このため、使用上便利となる。
【００２７】
図１２及び図１３は本発明の別の実施形態の鼻汁吸引器１を示し、上記実施形態と同一の部材には同一の符号を付して対応させてある。台座１２と台座１２に被せられる吸引カップ１１とによって吸引部材２が形成され、この吸引部材２が電動吸引部材３に取り付けられることにより鼻汁吸引器１が形成されている。吸引部材２のカップ本体１３には吸引ノズル５５が立ち上がり状に一体的に形成されている。
【００２８】
吸引ノズル５５は薄い舌片状となって立ち上がっており、この吸引ノズル５５を鼻腔内に差し入れて電動吸引部材３から吸引力を作用させることにより鼻汁を吸引することができる。この実施形態では、吸引ノズル５５がカップ本体１３に一体に形成されることにより、上記実施形態のようにノズル５、５ａを脱着する必要がなく、部品点数を削減することができる。
【符号の説明】
【００２９】
１  鼻汁吸引器
２  吸引部材
３  電動吸引部材
４  人力吸引部材
５  吸引ノズル
１１  吸引カップ
１２  台座
１７  受け皿部
１８  吸引口部
１９  連通管部
【図１】
2019118529.tif 000003
【図２】
2019118529.tif 000004
【図３】
2019118529.tif 000005
【図４】
2019118529.tif 000006
【図５】
2019118529.tif 000007
【図６】
2019118529.tif 000008
【図７】
2019118529.tif 000009
【図８】
2019118529.tif 000010
【図９】
2019118529.tif 000011
【図１０】
2019118529.tif 000012
【図１１】
2019118529.tif 000013
【図１２】
2019118529.tif 000014
【図１３】
2019118529.tif 000015